(57)【要約】    【課題】  アイコンに関連付けて登録された動作パラメータを保持したままの状態で、その他の各動作パラメータを簡単にデフォルト値に変更できるようにする。    【解決手段】  「標準に戻す」ボタンＢＴＮ１３が選択された場合は、お気に入りに係る設定登録内容を維持したままの状態で、その他のパブリック部の設定項目（動作パラメータ）を一括してデフォルト値に戻す。【選択図】      図９
2005242827.tif 000002
【特許請求の範囲】
【請求項１】
プログラムの動作パラメータを設定するためのユーザインターフェース画面上で、前記プログラムの動作パラメータをアイコンと関連付けて設定する第１の設定工程と、
主として前記アイコンと関連付けられていない前記プログラムの動作パラメータを前記ユーザインターフェース画面上で設定する第２の設定工程と、
前記ユーザインターフェース画面上の所定の操作子が操作された場合に、前記第１の設定工程により設定された動作パラメータを保持した状態で前記第２の設定工程により設定された動作パラメータを一括してデフォルト値に設定し直す制御工程と、
を有することを特徴とする情報処理方法。
【請求項２】
前記制御手段によりデフォルト値に設定し直された動作パラメータが前記アイコンと関連付けて設定されている場合に、当該アイコンの表示形態を特殊な形態に変更する表示制御工程を有することを特徴とする請求項１に記載の情報処理方法。
【請求項３】
前記制御手段によりデフォルト値に設定し直された動作パラメータが前記アイコンと関連付けて設定されている場合に、当該アイコンの名称の表示形態を特殊な形態に変更する表示制御工程を有することを特徴とする請求項１に記載の情報処理方法。
【請求項４】
前記ユーザインターフェース画面は、前記プログラムにより表示されることを特徴とする請求項１〜３の何れかに記載の情報処理装置。
【請求項５】
前記第１の設定工程に係るユーザインターフェース画面と前記第２の設定工程に係るユーザインターフェース画面とは、同一のウインドウに表示されることを特徴とする請求項１〜４の何れかに記載の情報処理装置。
【請求項６】
プログラムの動作パラメータを設定するためのユーザインターフェース画面上で、前記プログラムの動作パラメータをアイコンと関連付けて設定する第１の設定手段と、
主として前記アイコンと関連付けられていない前記プログラムの動作パラメータを前記ユーザインターフェース画面上で設定する第２の設定手段と、
前記ユーザインターフェース画面上の所定の操作子が操作された場合に、前記第１の設定手段により設定された動作パラメータを保持した状態で前記第２の設定工程により設定された動作パラメータを一括してデフォルト値に設定し直す制御手段と、
を有することを特徴とする情報処理装置。
【請求項７】
プログラムの動作パラメータを設定するためのユーザインターフェース画面上で、前記プログラムの動作パラメータをアイコンと関連付けて設定する第１の設定処理と、
主として前記アイコンと関連付けられていない前記プログラムの動作パラメータを前記ユーザインターフェース画面上で設定する第２の設定処理と、
前記ユーザインターフェース画面上の所定の操作子が操作された場合に、前記第１の設定処理により設定された動作パラメータを保持した状態で前記第２の設定処理により設定された動作パラメータを一括してデフォルト値に設定し直す制御処理と、
を有することを特徴とするプログラム。
【発明の詳細な説明】
【技術分野】
【０００１】
本発明は、プログラムの動作パラメータを設定する設定技術に関する。
【背景技術】
【０００２】
一般に、情報処理装置で実行されるアプリケーションプログラムに対して動作パラメータを設定する場合は、当該アプリケーションプログラムに係るユーザインターフェース画面（以下、ＵＩ画面と称する）を介して各種の動作に係る設定を行っている（特許文献１：特開２０００−２２２１５９号公報）。
【０００３】
また、この種のアプリケーションプログラムにおいて、簡易設定機能が実現されており、例えばプリンタドライバでは、簡易印刷設定機能（ワンクリック印刷設定機能）が実現されている。この簡易印刷設定機能は、使用頻度の高い設定項目に係る動作パラメータをユーザが「お気に入り」アイコンに関連付けて予め登録しておき、この「お気に入り」アイコンをＵＩ画面に表示し、この「お気に入り」アイコンが表示されたＵＩ画面（ウインドウ）上に、当該「お気に入り」アイコンに登録されていない（原則として登録されていない）他の使用頻度の高い設定項目（パブリック部）に係る動作パラメータを設定するためのダイアログボックスを表示し、使用頻度の低い設定項目（すなわち、予め設定されたデフォルト値を変更する可能性が非常に低い設定項目）を設定するためのダイアログボックスは２次画面（別のウインドウ）に隠すものである（特許文献２：特開２００２−１８２８７１号公報）。
【０００４】
なお、上記のパブリック部に係るダイアログボックスには、デフォルト値が初期設定されている。また、ユーザがパブリック部の設定項目に係る動作パラメータを「お気に入り」アイコンに関連付けて登録する場合もある。
【０００５】
この簡易印刷設定機能では、通常は、１つのＵＩ画面上で所望の「お気に入り」アイコンを選択し、必要に応じてパブリック部のデフォルト値を変更するだけ済み、所望の印刷動作パラメータを簡単に設定することができる。
【特許文献１】特開２０００−２２２１５９号公報
【特許文献２】特開２００２−１８２８７１号公報
【発明の開示】
【発明が解決しようとする課題】
【０００６】
上記の簡易印刷設定機能では、「お気に入り」アイコンの表示領域には、プリンタドライバの作成時に用意された「標準設定」アイコンも表示されており、この「標準設定」アイコンを選択することにより、全ての「お気に入り」アイコンに関連付けられた各設定項目の動作パラメータを一括してデフォルト値に戻すことができる。この場合、パブリック部の設定は影響を受けず、たとえデフォルト値から変更されていたとしてもデフォルト値に戻されることはない。
【０００７】
また、上記の簡易印刷設定機能では、「標準に戻す」ボタンも用意されており、この「標準に戻す」ボタンを選択すると、全ての「お気に入り」アイコンに関連付けて登録されている各設定項目の動作パラメータが一括してデフォルト値に戻されると共に、パブリック部の全ての設定項目の動作パラメータも一括してデフォルト値に戻される。
【０００８】
従って、「お気に入り」アイコンに係る設定値を保持したままの状態で、パブリック部の各設定値をデフォルト値に戻したい場合は、パブリック部の各設定項目について、個別にデフォルト値を設定していく必要があり、不便であった。
【０００９】
そこで、本発明は、アイコンに関連付けて登録された動作パラメータを保持したままの状態で、その他の各動作パラメータを簡単にデフォルト値に変更し得る情報処理方法、情報処理装置、及びプログラムを提供することを目的とする。
【課題を解決するための手段】
【００１０】
上記目的を達成するため、本発明に係る情報処理方法は、プログラムの動作パラメータを設定するためのユーザインターフェース画面上で、前記プログラムの動作パラメータをアイコンと関連付けて設定する第１の設定工程と、主として前記アイコンと関連付けられていない前記プログラムの動作パラメータを前記ユーザインターフェース画面上で設定する第２の設定工程と、前記ユーザインターフェース画面上の所定の操作子が操作された場合に、前記第１の設定工程により設定された動作パラメータを保持した状態で前記第２の設定工程により設定された動作パラメータを一括してデフォルト値に設定し直す制御工程とを有している。
【発明の効果】
【００１１】
本発明によれば、アイコンに関連付けて登録された動作パラメータを保持したままの状態で、その他の各動作パラメータを簡単にデフォルト値に変更し得る情報処理方法、情報処理装置、及びプログラムを提供することが可能となる。
【発明を実施するための最良の形態】
【００１２】
以下、本発明を実施するための最良の形態を、図面を参照しながら説明する。
【００１３】
図１は、本発明を適用したコンピュータシステムの概略構成を示すブロック図であり、本コンピュータシステム３０は、コンピュータ本体２０と、キーボード１０、ＣＲＴディスプレイ装置１１、外部メモリ１２等の周辺機器を有している。
【００１４】
コンピュータ本体２０は、ＣＰＵ１、ＲＡＭ２、キーボードコントローラ（ＫＢＣ）３、ＣＲＴコントローラ（ＣＲＴＣ）４、ディスクコントローラ（ＤＫＣ）５を有し、これらデバイスはメインバス６を介して接続されている。
【００１５】
ＣＰＵ１は、ディスクコントローラ（ＤＫＣ）５を介して外部メモリ１２から読み出したシステムプログラム、アプリケーションプログラム等の各種のプログラムをＲＡＭ２上に展開して実行することにより、各種のデータ処理を行う。なお、ディスクコントローラ（ＤＫＣ）５は、ブートプログラム、種々のアプリケーションプログラム、データファイル等を記憶するＦＤ、ＨＤ、ＣＤ−ＲＯＭ、ＭＤ、ＭＯ等の外部メモリ１２とのアクセスを制御する。また、ＲＡＭ２は、図示しないオプションＲＡＭ等によりその容量を拡張できるように構成されており、主としてＣＰＵ１のワークエリアとして機能する。
【００１６】
キーボードコントローラ（ＫＢＣ）３は、キーボード１０や不図示のポインティングデバイスからのデータやコマンドの入力を制御する。ＣＲＴコントローラ（ＣＲＴＣ）４は、ＣＲＴディスプレイ（ＣＲＴ）１１に対する表示処理を制御する。
【００１７】
なお、図示省略したが、コンピュータ本体２０には、プリンタやスキャナ、及びプリンタ機能、スキャナ機能、複写機能等の多数の機能を有する複合機等の周辺機器を接続することができ、また、外部メモリ１２には、アプリケーションプログラムとして、プリンタドライバ、スキャナドライバ、複合機ドライバ等が格納されているものとする。さらに、プリンタドライバ、スキャナドライバ、複合機ドライバは、当該ドライバの処理動作に関する各種の情報（動作パラメータ）を設定するためのユーザインターフェース画面（ＵＩ画面）をＣＲＴ１１上に表示する機能を有している。
【００１８】
次に、アプリケーションプログラムに係る動作パラメータの設定処理について説明するが、ここではプリンタドライバに係る動作パラメータの設定処理について説明する。
【００１９】
図２は、簡易印刷設定（ワンクリック設定）用のＵＩ画面例を示す図であり、この簡易印刷設定画面は、ＣＰＵ１がプリンタドライバを実行することによりＣＲＴ１１に表示される。図２の簡易印刷設定画面上での各種操作に対応する処理の概要を、図３のフローチャートに基づいて説明する。図３のフローチャートは、プリンタドライバプログラムに基づいて、ＣＰＵ１が動作する制御フローを示すものである。
【００２０】
図２の簡易印刷設定画面上のアイコンリストビューボックスＬＳＴ１１において、現在選択されているアイコン（「お気に入り」アイコン）が変更された場合は（図３のステップＳ３１）、プリンタドライバは、その選択変更に伴う一連の処理を行い（ステップＳ３２）、全てのダイアログボックスに対する印刷動作パラメータを新たに選択されたアイコンに係る印刷動作パラメータに変更する（ステップＳ３３）。
【００２１】
図２の簡易印刷設定画面上で「アイコンの変更／新規作成」ボタン（別名：追加登録ボタン）ＢＴＮ１１が押下された場合は（ステップＳ３４）、プリンタドライバは、図２の簡易印刷設定画面をクローズして図４に示した「お気に入りの追加」に係るＵＩ画面をＣＲＴ１１に表示し、当該「お気に入りの追加」に係るＵＩ画面上でのユーザの操作に応じて、お気に入りの追加登録に関する一連の処理を行う（ステップＳ３５）。なお、お気に入りの追加登録に関する一連の処理の詳細は、後述する。
【００２２】
プリンタドライバは、「お気に入りの追加」に係るＵＩ画面上の「キャンセル」ボタンが押下されると、「お気に入りの追加」に係るＵＩ画面をクローズして図２の簡易印刷設定画面をＣＲＴ１１に表示し、この簡易印刷設定画面のアイコンリストビューボックスＬＳＴ１１に、追加登録に係るアイコン（「お気に入り」アイコン）を選択状態で表示する（ステップＳ３６）。
【００２３】
簡易印刷設定画面上の「アイコンの管理」ボタン（別名：編集ボタン）ＢＴＮ１２が押下された場合は、プリンタドライバは、当該簡易印刷設定画面をクローズして図６に示した「お気に入りの編集」に係るＵＩ画面をＣＲＴ１１に表示し、当該「お気に入りの編集」に係るＵＩ画面上でのユーザの操作に応じて、お気に入りの編集に関する一連の処理を行う（ステップＳ３８）。なお、お気に入りの編集に関する一連の処理の詳細は、後述する。
【００２４】
プリンタドライバは、「お気に入りの編集」に係るＵＩ画面上の「キャンセル」ボタンが押下されると、「お気に入りの編集」に係るＵＩ画面をクローズして図２の簡易印刷設定画面をＣＲＴ１１に表示する。プリンタドライバは、この簡易印刷設定画面上の「キャンセル」ボタン（別名：閉じるボタン）ＢＴＮ１５が押下された場合は（ステップＳ３９）、簡易印刷設定画面をクローズして本簡易印刷設定処理を終了するが、簡易印刷設定画面上で「標準に戻す」ボタンＢＴＮ１３が押下される等、他の操作が行われた場合は、その操作に応じた他の処理を行う（ステップＳ４０）。他の処理の具体例は、後述する。
【００２５】
次に、図３のステップＳ３５におけるお気に入りの追加登録処理を、図４、図５に基づいて詳細に説明する。
【００２６】
ユーザは、図４の「お気に入りの追加」に係るＵＩ画面上でアイコン（「お気に入り」アイコン）の名称、アイコン（「お気に入り」アイコン）、コメント等の管理情報を入力する（図５のステップＳ５１）。この場合、アイコンの名称は、名称入力ボックスＥＤＴ２１にキー入力するが、アイコンは、アイコン選択ボックスＩＣＮ２１に表示されたものの中から選択すればよい。
【００２７】
プリンタドライバは、図４の「お気に入りの追加」に係るＵＩ画面上の「キャンセル」ボタンが押下された場合は（ステップＳ５２）、何もせずに終了するが、「ＯＫ」ボタンが押下された場合は（ステップＳ５３）、ステップＳ５１で入力された情報に基づいてお気に入りの追加登録処理を開始する。
【００２８】
すなわち、プリンタドライバは、アイコンの名称が入力済みか否かをチェックし（ステップＳ５４）、未入力であれば、警告メッセージを表示することにより再度入力を促す（ステップＳ５５）。このアイコンの名称は、お気に入りを管理するためのキーとなるため、必須入力項目となっている。
【００２９】
次に、プリンタドライバは、入力されたアイコンの名称と同一の名称が既に登録されているか否かをチェックし（ステップＳ５６）、同一の名称が登録されていなければ、入力されたアイコンの名称をキーとして、入力に係る内容をお気に入りＤＢ（データベース）に追加登録する（ステップＳ５９）。
【００３０】
一方、入力されたアイコンの名称と同一の名称が既に登録されていれば、プリンタドライバは、上書きするか否かの確認メッセージを表示し、上書きする旨の操作が行われた場合は（ステップＳ５７）、お気に入りＤＢ中の既存の名称を今回入力に係る名称に書き換えて登録する（ステップＳ５８）。なお、アイコン選択ボックスＩＣＮ２１には未登録（未使用）のアイコンだけが表示されるので、アイコンの重複入力はありえない。
【００３１】
ユーザは、上書きしない旨の操作を行った場合は（ステップＳ５７）、ステップＳ５１に戻り、アイコンの名称を入力し直す。
【００３２】
次に、図３のステップＳ３８におけるお気に入りの編集処理を、図６、図７、図８に基づいて詳細に説明する。
【００３３】
ユーザは、図６に示した「お気に入りの編集」に係るＵＩ画面上のお気に入り一覧リストボックスＬＳＴ３１の中から、編集対象の既登録の「お気に入り」アイコンを選択する（図７のステップＳ７０１）。なお、お気に入り一覧リストボックスＬＳＴ３１には、プリンタドライバで予め用意したデフォルト設定とユーザが登録したユーザ設定とに係る「お気に入り」アイコンとその名称が列挙して表示される。
【００３４】
何れかの「お気に入り」アイコンが選択されると、プリンタドライバは、それがデフォルト設定に係るアイコン（本実施形態では、「標準設定」アイコンを想定）であれば（ステップＳ７０２）、ユーザがデフォルト設定に係るアイコンの編集処理を実行できないようにすべく、その編集操作と「削除」ボタンＢＴＮ３１等をＤｉｓａｂｌｅする（ステップＳ７０３）。一方、ユーザ設定に係るアイコンであれば、プリンタドライバは、全ての編集操作をＥｎａｂｌｅにして、その「お気に入り」アイコンに割り当てられた管理情報（アイコン名称、アイコン、コメント等）を表示し（ステップＳ７０４）、その管理情報を編集できるようにする（ステップＳ７０５）。
【００３５】
すなわち、プリンタドライバは、「削除」ボタンＢＴＮ３１が押下された場合は（ステップＳ７０６）、ステップＳ７０１で選択された「お気に入り」アイコンに係る管理情報（アイコン名称、アイコン、コメント等）をお気に入りＤＢから削除する（ステップＳ７０７）。また、プリンタドライバは、「ファイル保存」ボタンＢＴＮ３３が押下された場合は（ステップＳ７０８）、ステップＳ７０１で選択された「お気に入り」アイコンに係る管理情報（名称、アイコン、コメント等）をファイルにセーブして、他のクライアントにＥｘｐｏｒｔできるようにする（ステップＳ７０９）。
【００３６】
また、プリンタドライバは、ファイル読み込みボタンＢＴＮ３２が押下された場合は（ステップＳ７１０）、ファイルにセーブしてある「お気に入り」アイコンに係る管理情報をロードして、お気に入りＤＢに追加するＩｍｐｏｒｔ処理を行う（ステップＳ７１１）。
【００３７】
チェックボックスＢＴＮ３４は、特定の項目を上書き（変更）させないためのチェックボックスであり、このチェックボックスＢＴＮ３４にチェックを入れてＯＮすることで（ステップＳ７１２）、印刷データ生成用のアプリケーションプログラムで設定した用紙サイズや部数等の特定の項目を優先し、その特定の項目に係る動作パラメータを「お気に入りの編集」で変更する操作を行っても無効処理するための透過指定を行う（ステップＳ７１３）。
【００３８】
「お気に入りの編集」に係るＵＩ画面を閉じるに当たり（ステップＳ７１４）、「お気に入り」アイコンに係る管理情報の変更がある場合は（ステップＳ７１５）、変更後の管理情報をお気に入りＤＢに適切に保存する処理を行う。すなわち、変更されたアイコンの名称と同一の名称が既にお気に入りＤＢに登録されていれば（ステップＳ７１６）、プリンタドライバは、その名称を上書きするか否かの確認メッセージを表示し、上書きする旨の操作が行われた場合は（ステップＳ７１７）、お気に入りＤＢ中の既存の名称を今回入力に係る名称に書き換えて登録する（ステップＳ７１８）。上書きしない旨の操作が行われた場合は、プリンタドライバは、ステップＳ７０１に戻ることにより、アイコンの名称の再入力を促す。
【００３９】
次に、図３のステップＳ４０における他の処理の具体例を、図２、図９に基づいて詳細に説明する。ここでは、デフォルト設定に戻す処理について説明する。
「デフォルト設定に戻す」とは、ユーザインターフェース上の各設定項目、すなわちプリンタドライバの各設定項目の設定値（動作パラメータ）をプリンタドライバ出荷時の初期値（デフォルト値）に戻すことを意味する。
【００４０】
また、後述するパブリック部とは、原則として、「お気に入り」アイコンに関連付けて登録されていない設定項目を示している。ただし、パブリック部の設定項目であっても、「お気に入り」アイコンに関連付けて登録される場合もある。図２の簡易印刷設定画面では、パブリック部は、「給紙トレイ」、「用紙種類」、「排紙先」、「原稿方向」、「原稿サイズ」、「印刷用紙サイズ」、「部数」、「印刷方法」の各動作パラメータを設定するためのダイアログボックスにより構成されている。
【００４１】
プリンタドライバは、図２の簡易印刷設定画面のアイコンリストビューボックスＬＳＴ１１の中から「標準（通常）設定」アイコンが選択された場合は（図９のステップＳ９１）、当該プリンタドライバの出荷時のデフォルト値を取得して、「お気に入り」アイコンと関連付けられている設定項目、すなわち、「お気に入り」アイコンに係る設定項目の全ての動作パラメータをデフォルト値に戻す（ステップＳ９２）。
【００４２】
また、プリンタドライバは、「標準に戻す」ボタンＢＴＮ１３が選択された場合は（ステップＳ９３）、「お気に入り」アイコンに係る設定項目の全ての動作パラメータを保持した状態で、パブリック部の全ての設定項目に係る動作パラメータを一括してデフォルト値に戻し、そのデフォルト値を表示する（ステップＳ９４）。
【００４３】
そして、プリンタドライバは、デフォルト値に戻したパブリック部の設定項目のうち、
「お気に入り」アイコンに関連付けて登録されている項目があれば（ステップＳ９５）、その「お気に入り」アイコンの表示形態、又は「お気に入り」アイコンの名称の表示形態を特殊な表示形態（反転表示等）に変更することにより、当該「お気に入り」アイコンの設定内容が変化した旨をユーザに明示する（ステップＳ９６）。この場合、「お気に入り」アイコンの表示形態と「お気に入り」アイコンの名称の表示形態を双方とも特殊な表示形態に変更することも可能である。
【００４４】
図２の「ＯＫ」ボタンＢＴＮ１４、又は「適用」ボタンＢＴＮ１６が選択された場合は（ステップＳ９７）、プリンタドライバは、ステップＳ９１〜Ｓ９６の処理を有効にして、簡易印刷設定画面を閉じ、「キャンセル」ボタンＢＴＮ１５が選択された場合は（ステップＳ９７）、プリンタドライバは、ステップＳ９１〜Ｓ９６の処理を無効にして、簡易印刷設定画面を閉じる。
【００４５】
このように、本実施形態では、プリンタドライバの簡易設定画面で、「標準に戻す」ボタンを選択することにより、「お気に入り」アイコンの設定内容を保持した状態で、その他のパブリック部の動作パラメータの設定を一括してデフォルト値に戻すことができ、動作パラメータの設定効率を向上させることが可能となる。
【００４６】
なお、本発明は、上記の実施形態に限定されることなく、プリンタドライバ以外のスキャナドライバ、複合機ドライバ等のアプリケーションプログラムに適用することも可能である。
【００４７】
また、本発明の目的は、上記実施形態の機能を実現するソフトウェアのプログラムコードを記録した記憶媒体（または記録媒体）を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００４８】
この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)などが実際の処理の一部または全部を行い、その処理によって前述した実施形態の機能が実現される場合も含まれることは言うまでもない。
【００４９】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。本発明を上記記憶媒体に適用する場合、その記憶媒体には、先に説明した（図３、図５、図７〜９に示す）フローチャートに対応するプログラムコードが格納されることになる。
【図面の簡単な説明】
【００５０】
【図１】本発明を適用したコンピュータシステムの概略構成を示すブロック図である。
【図２】プリンタドライバの簡易印刷設定画面（ＵＩ画面）例を示す図である。
【図３】簡易印刷設定画面上での各種操作に対応する処理の概要を示すフローチャートである。
【図４】お気に入りの追加登録に係るＵＩ画面例を示す図である。
【図５】お気に入りの追加登録処理の詳細を示すフローチャートである。
【図６】お気に入りの編集処理に係るＵＩ画面例を示す図である。
【図７】お気に入りの編集処理の詳細を示すフローチャートである。
【図８】お気に入りの編集処理の詳細を示すフローチャートである（図７の続き）。
【図９】プリンタドライバの動作パラメータをデフォルト値に戻す処理を示すフローチャートである。
【符号の説明】
【００５１】
１：ＣＰＵ、２：ＲＡＭ、１０：キーボード、１１：ＣＲＴ、１２：外部メモリ、２０：コンピュータ本体、３０：コンピュータシステム、ＬＳＴ１１：アイコンリストビューボックス、ＢＴＮ１３：「標準に戻す」ボタン
【図１】
2005242827.tif 000003
【図２】
2005242827.tif 000004
【図３】
2005242827.tif 000005
【図４】
2005242827.tif 000006
【図５】
2005242827.tif 000007
【図６】
2005242827.tif 000008
【図７】
2005242827.tif 000009
【図８】
2005242827.tif 000010
【図９】
2005242827.tif 000011